(57)【要約】【課題】    カットに際しての動作性が良好な梳鋏を提供することである。。【解決手段】    第１の鋏半体と刃の部分が櫛状に構成された第２の鋏半体とが組み合わされてなる鋏において、  前記鋏が完全に閉じられて前記第１の鋏半体の刃部と前記第２の鋏半体の櫛刃部とが完全に重なり合った状態においては、前記第１の鋏半体の刃部と前記第２の鋏半体の櫛刃部とは互いの刃部の先端部同士のみが重なり合うよう構成されてなる。【選択図】  図３
2008104613.tif 000002
【特許請求の範囲】
【請求項１】
第１の鋏半体と刃の部分が櫛状に構成された第２の鋏半体とが組み合わされてなる鋏において、
前記鋏が完全に閉じられて前記第１の鋏半体の刃部と前記第２の鋏半体の櫛刃部とが完全に重なり合った状態においては、前記櫛刃部の該重合部分における長さが最長でも３ｍｍであるよう構成されてなる
ことを特徴とする鋏。
【請求項２】
櫛刃部の重合部分における長さが０．１〜２ｍｍであるよう構成されてなることを特徴とする請求項１の鋏。
【請求項３】
第１の鋏半体と刃の部分が櫛状に構成された第２の鋏半体とが枢支されてなり、前記枢支点を中心として回動させられて閉じられた場合には前記第２の鋏半体の櫛刃部の先端が前記第１の鋏半体に重なり合うよう構成されてなる鋏において、
前記第２の鋏半体の櫛刃部の先端が、前記鋏の枢支点を通る該鋏の長手方向に沿った方向の仮想中心線を越えた１．５ｍｍ以内の領域にあるよう構成されてなる
ことを特徴とする鋏。
【請求項４】
第２の鋏半体の櫛刃部の先端が、鋏の枢支点を通る該鋏の長手方向に沿った方向の略仮想中心線上にあるよう構成されてなることを特徴とする請求項３の鋏。
【請求項５】
第１の鋏半体と刃の部分が櫛状に構成された第２の鋏半体とが組み合わされてなる鋏において、
前記鋏が完全に閉じられて前記第１の鋏半体の刃部と前記第２の鋏半体の櫛刃部とが完全に重なり合った状態においては、前記第１の鋏半体の刃部と前記第２の鋏半体の櫛刃部とは互いの刃部の先端部同士のみが重なり合うよう構成されてなる
ことを特徴とする鋏。
【請求項６】
第２の鋏半体の櫛刃部の先端が、鋏の長手方向における刃の長さの略半分の位置において最も突出した略円弧状の仮想線上にあるよう構成されてなることを特徴とする請求項１〜請求項５いずれかの鋏。
【発明の詳細な説明】
【技術分野】
【０００１】
本発明は、例えば美・理容用の鋏、特に梳鋏に関する。
【背景技術】
【０００２】
従来より、各種の梳鋏が提案されている。そして、この種の梳鋏の基本的構造は、図４に示される通りのものである。すなわち、図４中、２１は鋏、２２は第１の鋏半体、２３は第２の鋏半体、２４は第１の鋏半体２２と第２の鋏半体２３とを螺着する螺子である。そして、第２の鋏半体２３に形成されている刃２５は、図４からも判る通り、櫛状に構成されている。
【０００３】
さて、前記第２の鋏半体２３に形成されている櫛状の櫛刃２５は、その先端部２５ａが第１の鋏半体２２の嶺２２ｂまで伸びている。
【特許文献１】特開２０００−２７９６５４号公報
【特許文献２】特開２００３−３２０１８０号公報
【特許文献３】特開２００４−４９３４９号公報
【特許文献４】特開２００４−１５４３０３号公報
【発明の開示】
【発明が解決しようとする課題】
【０００４】
上述した通り、従来の梳鋏における櫛刃２５は、その櫛刃長が対向する刃の鋏半体２２の嶺２２ｂまで伸びていて、長いものである。
【０００５】
ところで、本発明者は、この櫛刃２５の長さが長い故に、種々の問題が引き起こされていることに気付くに至った。
【０００６】
すなわち、櫛刃２５であるが故に、その長さが長くなると、櫛刃２５にはブレが出来やすい。かつ、ブレ量も大きくなる。ところで、櫛刃２５が対向する刃に対して適切に密着してなければ、即ち、隙間が出来るようでは、髪の毛を綺麗にカット出来ない。逆に、圧着し過ぎた場合には、鋏の開閉動作（カット動作)に摩擦抵抗が大き過ぎ、カット動作がリズミカルにならず、仕事は上手く進まず、疲労感も大きくなり、これ、また、好ましくない。従って、櫛刃２５にブレが出来ていると、刃同士に隙間が出来るか、逆に、圧着し過ぎるものとなるから、いずれにしても髪の毛を綺麗にカット出来ないものとなってしまう。
【０００７】
更には、螺子２４側に近い櫛刃２５ｘの長さｘと螺子２４から遠い側の櫛刃２５ｙの長さｙとの長さは、例えば２〜３倍も異なっている。この為、髪の毛のカットに際して、螺子２４側に近い櫛刃２５ｘが対向する刃２６に当接してから、螺子２４から遠い側の櫛刃２５ｙが対向する刃２６に当接するまで、逆に、螺子２４から遠い側の櫛刃２５ｙが対向する刃２６から離れてから、螺子２４側に近い櫛刃２５ｘが対向する刃２６から離れるまでに要する鋏の開閉角度は、大きなものでなければならない。このことは、カットに際しての動作性がそれだけ悪いことになる。
【０００８】
よって、本発明が解決しようとする課題は、カットに際しての動作性が良好な鋏を提供することである。
【課題を解決するための手段】
【０００９】
前記の課題は、第１の鋏半体と刃の部分が櫛状に構成された第２の鋏半体とが組み合わされてなる鋏において、
前記鋏が完全に閉じられて前記第１の鋏半体の刃部と前記第２の鋏半体の櫛刃部とが完全に重なり合った状態においては、前記櫛刃部の該重合部分における長さが最長でも３ｍｍであるよう構成されてなる
ことを特徴とする鋏によって解決される。
【００１０】
特に、第１の鋏半体と刃の部分が櫛状に構成された第２の鋏半体とが組み合わされてなる鋏において、
前記鋏が完全に閉じられて前記第１の鋏半体の刃部と前記第２の鋏半体の櫛刃部とが完全に重なり合った状態においては、前記櫛刃部の該重合部分における長さが０．１〜２ｍｍであるよう構成されてなる
ことを特徴とする鋏によって解決される。
【００１１】
或いは、第１の鋏半体と刃の部分が櫛状に構成された第２の鋏半体とが枢支されてなり、前記枢支点を中心として回動させられて閉じられた場合には前記第２の鋏半体の櫛刃部の先端が前記第１の鋏半体に重なり合うよう構成されてなる鋏において、
前記第２の鋏半体の櫛刃部の先端が、前記鋏の枢支点を通る該鋏の長手方向に沿った方向の仮想中心線を越えた１．５ｍｍ以内の領域にあるよう構成されてなる
ことを特徴とする鋏によって解決される。
特に、第１の鋏半体と刃の部分が櫛状に構成された第２の鋏半体とが枢支されてなり、前記枢支点を中心として回動させられて閉じられた場合には前記第２の鋏半体の櫛刃部の先端が前記第１の鋏半体に重なり合うよう構成されてなる鋏において、
前記第２の鋏半体の櫛刃部の先端が、前記鋏の枢支点を通る該鋏の長手方向に沿った方向の略仮想中心線上にあるよう構成されてなる
ことを特徴とする鋏によって解決される。
【００１２】
若しくは、第１の鋏半体と刃の部分が櫛状に構成された第２の鋏半体とが組み合わされてなる鋏において、
前記鋏が完全に閉じられて前記第１の鋏半体の刃部と前記第２の鋏半体の櫛刃部とが完全に重なり合った状態においては、前記第１の鋏半体の刃部と前記第２の鋏半体の櫛刃部とは互いの刃部の先端部同士のみが重なり合うよう構成されてなる
ことを特徴とする鋏によって解決される。
【００１３】
又、上記鋏であって、第２の鋏半体の櫛刃部の先端が、鋏の長手方向における刃の長さの略半分の位置において最も突出した略円弧状の仮想線上にあるよう構成されてなることを特徴とする鋏によって解決される。
【発明の効果】
【００１４】
上記のように構成させた本発明の鋏は、従来の鋏に比べて、櫛刃の長さが短い。
【００１５】
すなわち、鋏が完全に閉じられて第１の鋏半体の刃部と第２の鋏半体の櫛刃部とが完全に重なり合った状態においては、櫛刃部の重合部分における長さが３ｍｍ以下、特に、０．１〜２ｍｍであるよう構成したり、或いは第２の鋏半体の櫛刃部の先端が鋏の枢支点を通る鋏の長手方向に沿った方向の仮想中心線を越えた１．５ｍｍ以内の領域にあるよう、特に、略仮想中心線上にあるよう構成したり、又は鋏が完全に閉じられて第１の鋏半体の刃部と第２の鋏半体の櫛刃部とが完全に重なり合った状態においては、第１の鋏半体の刃部と第２の鋏半体の櫛刃部とは互いの刃部の先端部同士のみが重なり合うよう構成したので、従来の鋏に比べて、櫛刃の長さが短いものとなる。
【００１６】
従って、櫛刃の先端側にブレが出来にくい。
【００１７】
このことは、櫛刃とこれに対向する刃との間に、余計な隙間が出来にくく、かつ、圧着し過ぎることも起き難い。
【００１８】
すなわち、櫛刃とこれに対向する刃との間に余計な隙間が無いことから、例えば髪の毛をカット出来ないと言ったことが無い。かつ、櫛刃とこれに対向する刃とが圧着し過ぎないから、鋏の開閉動作（カット動作)に際しての抵抗が大きいと言ったことが無い。つまり、髪の毛のカットをリズミカルに、かつ、スムーズに行える。
【００１９】
又、櫛刃の長さが短くて済むことは、それだけ櫛刃を形成する作業性が良いことを意味する。かつ、材料も少なくて済むので、省資源の観点からも好ましい。
【発明を実施するための最良の形態】
【００２０】
図１〜図３は本発明になる鋏の一実施形態を示すもので、図１は第１の鋏半体の要部の平面図、図２は第２の鋏半体の要部の平面図、図３は第１の鋏半体と第２の鋏半体とが組み合わされた状態での要部の平面図である。尚、図１は第１の鋏半体の外面（第２の鋏半体と対向しない側の面）側が示されたものであり、図２は第２の鋏半体の外面（第１の鋏半体と対向しない側の面）側が示されたものである。
【００２１】
各図中、Ａは、本発明になる梳鋏である。
【００２２】
梳鋏Ａは、第１の鋏半体（非櫛刃）１と第２の鋏半体（櫛刃）２とが螺子３によって螺着された構造のものである。
【００２３】
第１の鋏半体（非櫛刃）１は、上部（刃部）４と中部（螺着部）５と下部（指通部）６とからなる。そして、図１からも判る通り、刃部４の刃先７の全体形状がその真ん中辺りで多少凸状に膨出した円弧状に形成されている。すなわち、図１からも判る通り、本実施形態における第１の鋏半体（非櫛刃）１は、鋏Ａの長手方向（図１中、上下方向）であって、かつ、螺子３が挿通される螺子孔８を通る中心線を多少（例えば、０．１〜２ｍｍ程度。本実施形態では、特に、１〜１．５ｍｍ程度。）越えた（図１で説明すると、中心線よりも右側に多少越えた）位置に、円弧状の刃先７があるように構成されている。
【００２４】
第２の鋏半体（櫛刃）２は、上部（櫛刃部）９と中部（螺着部）１０と下部（指通部）１１とからなる。そして、図２からも判る通り、櫛刃部９の刃先１３の形状が、その真ん中辺りで多少凸状に膨出した円弧状に形成されている。又、櫛刃部９であることから、勿論、櫛状にも形成されている。
【００２５】
本発明にあっては、刃先１３の全体形状が円弧状に形成されていると言うだけで無く、一つ一つの櫛刃９１，９２，……，９ｎの長さが従来の梳鋏における櫛刃の長さよりも短い点にユニークさが有る。すなわち、図４との対比からも判る通り、一つ一つの櫛刃９１，９２，……，９ｎの長さが、従来の梳鋏の一つ一つの櫛刃の長さの約２／３〜１／２程度の長さに設計されている。従って、図３に示される如く、鋏Ａが完全に閉じられた状態（第１の鋏半体１の刃部４と第２の鋏半体２の櫛刃部９とが完全に重なり合った状態）において、第１の鋏半体１の刃部４と第２の鋏半体２の櫛刃部９とは互いの刃部の先端部同士のみが重なり合っているに過ぎないと言える程度に設計されている。更に具体的に説明すると、図３に示される如く、鋏Ａが完全に閉じられた状態（第１の鋏半体１の刃部４と第２の鋏半体２の櫛刃部９とが完全に重なり合った状態）において、櫛刃部９と刃部４とが重なり合っている部分の長さが３ｍｍ以下（本実施形態の場合では、特に、１〜２ｍｍ）であるように櫛刃９１，９２，……，９ｎの長さが設計されている。言い換えると、一つ一つの櫛刃９１，９２，……，９ｎの先端が、螺子孔８，１２を通る鋏Ａの長手方向に沿った方向の仮想中心線を越えた１．５ｍｍ以内の領域（本実施形態の場合では、ほぼ仮想中心線上）にあるよう櫛刃９１，９２，……，９ｎの長さが設計されている。
【００２６】
尚、梳鋏であることから、図３に示される如く、鋏Ａが完全に閉じられた状態において、櫛刃間には長手状の孔が形成されているものである。
【００２７】
上記のように構成させた梳鋏は、その櫛刃の長さが従来の梳鋏の櫛刃の長さよりも短い。従って、櫛刃に力が作用しても、ブレが起き難い。例えば、櫛刃の長さが長いと、櫛刃に力が作用した場合、例えば第１の鋏半体１側に押圧するような力が作用した場合には、櫛刃９１，９２，……，９ｎの中の何れかの櫛刃が第１の鋏半体１の刃部４側に押され、櫛刃部９と刃部４とは必要以上に圧接するようになり、鋏の動作性が非常に低下する。逆に、第１の鋏半体１側から離間させる方向の力が作用した場合には、櫛刃９１，９２，……，９ｎの中の何れかの櫛刃が第１の鋏半体１の刃部４側から離れるようになり、櫛刃部９と刃部４とは必要以上に離間するようになり、鋏の切れ味が非常に低下する。すなわち、何れにしても、櫛刃９１，９２，……，９ｎがブレ易いことは決して好ましいことでは無い。そして、このブレ易さは、櫛刃では無い刃部４には起き難いものであるのに対して、櫛刃部９は櫛刃であるが故に起き易いものである。しかしながら、ブレが起き易いと雖も、その長さが短い場合には、ブレは起き難い。つまり、本発明の梳鋏は、櫛刃にブレが起き難く、従って梳鋏の動作性が良好であると共に切れ味にも優れたものである。
【００２８】
又、櫛刃の長さが短くて済むことは、それだけ櫛刃を形成する作業性が良いことを意味する。かつ、材料も少なくて済むので、省資源の観点からも好ましい。
【００２９】
又、櫛刃９１の長さ、櫛刃９２の長さ、……、櫛刃９ｎの長さ、即ち、各櫛刃の長さに変動が少なく、従来の梳鋏の如く、（一番長い櫛刃の長さ）／（一番短い櫛刃の長さ）が２倍以上にもなると言ったことが無く、１．１＜（一番長い櫛刃の長さ）／（一番短い櫛刃の長さ）＜１．５と言った如く、各櫛刃の長さに大きな相違が無く、ほぼ一定の長さであることから、切り始めと切り終わりとの間における鋏の開閉角度は小さく、従ってカットに際しての動作性も良い。
【図面の簡単な説明】
【００３０】
【図１】本発明になる梳鋏の一方の半体の要部の平面図
【図２】本発明になる梳鋏の他方の半体の要部の平面図
【図３】本発明になる梳鋏の要部の平面図
【図４】従来の梳鋏の要部の平面図
【符号の説明】
【００３１】
Ａ                        梳鋏
１                        第１の鋏半体（非櫛刃）
２                        第２の鋏半体（櫛刃）
３                        螺子
４                        非櫛刃における刃部
９                        櫛刃における櫛刃部
９１，９２，……９ｎ        櫛刃
代  理  人  宇  高  克  己
【図１】
2008104613.tif 000003
【図２】
2008104613.tif 000004
【図３】
2008104613.tif 000005
【図４】
2008104613.tif 000006